(57)【要約】【課題】オゾン発生器では、高電流が給電部材に流れると破損するおそれがあり、耐久性の高い給電部材が求められている。【解決手段】オゾン発生器は、金属電極と、誘電体部と、導電膜と、給電部材と、を備える。誘電体部は、管状であって、前記金属電極との間に原料ガスが供給される放電ギャップを空けて配置されている。導電膜は、前記誘電体部の内面に設けられている。給電部材は、複数の金属線材が編み込まれた網目状であって前記導電膜と接する接触部材を有し、前記導電膜と電気的に接続されている。【選択図】図３
2019131425.tif 000002
【特許請求の範囲】
【請求項１】
金属電極と、
前記金属電極との間に原料ガスが供給される放電ギャップを空けて配置された管状の誘電体部と、
前記誘電体部の内面に設けられた導電膜と、
複数の金属線材が編み込まれた網目状であって前記導電膜と接する接触部材を有し、前記導電膜と電気的に接続される給電部材と、
を備えるオゾン発生器。
【請求項２】
前記金属線材は、８０μｍ以上の金属細線を有する
請求項１に記載のオゾン発生器。
【請求項３】
前記金属線材は、撚られた複数の金属細線を有する
請求項１または請求項２に記載のオゾン発生器。
【請求項４】
前記接触部材は、一方が開口し、他方が閉口した管状に構成されている
請求項１から請求項３のいずれか１項に記載のオゾン発生器。
【請求項５】
前記給電部材は、積層された複数の前記接触部材を有する
請求項１から請求項４のいずれか１項に記載のオゾン発生器。
【請求項６】
前記給電部材は、前記誘電体部の径方向に弾性変形可能な弾性部材を有し、
前記接触部材は、前記弾性部材の外周部に設けられている
請求項１から請求項５のいずれか１項に記載のオゾン発生器。
【発明の詳細な説明】
【技術分野】
【０００１】
実施形態は、オゾン発生器に関する。
【背景技術】
【０００２】
オゾンを発生させるオゾン発生器が知られている。例えば、オゾン発生器は、誘電体を介して対向した電極間に電圧を印加して、電極間の放電ギャップに無声放電を発生させる。これにより、オゾン発生器は、放電ギャップ間に供給された酸素等を含む原料ガスからオゾンを発生させる。このようなオゾン発生器は、外部の電源からの高電圧を一方の電極に印加する給電部材を有する。
【先行技術文献】
【特許文献】
【０００３】
【特許文献１】特開２０１１−３７６８９号公報
【特許文献２】国際公開第２０１５／１２２１３２号
【特許文献３】特開２０１３−１８４８７４号公報
【特許文献４】特開平１１−１９９２０８号公報
【特許文献５】特開２００４−５９３６５号公報
【特許文献６】特開２００９−３４６７４号公報
【発明の概要】
【発明が解決しようとする課題】
【０００４】
しかしながら、上述のオゾン発生器では、高電流が給電部材に流れると破損するおそれがあり、耐久性の高い給電部材が求められている。
【課題を解決するための手段】
【０００５】
上述した課題を解決し、目的を達成するために、実施形態のオゾン発生器は、金属電極と、誘電体部と、導電膜と、給電部材と、を備える。誘電体部は、管状であって、前記金属電極との間に原料ガスが供給される放電ギャップを空けて配置されている。導電膜は、前記誘電体部の内面に設けられている。給電部材は、複数の金属線材が編み込まれた網目状であって前記導電膜と接する接触部材を有し、前記導電膜と電気的に接続されている。
【図面の簡単な説明】
【０００６】
【図１】図１は、第１実施形態にかかるオゾン発生器の全体構成を示す断面図である。
【図２】図２は、第１実施形態の誘電体電極の近傍の拡大断面図である。
【図３】図３は、第１実施形態の給電部材の側面図である。
【図４】図４は、ＩＶ−ＩＶ線に沿った給電部材の断面図である。
【図５】図５は、給電部材の弾性部材の全体斜視図である。
【図６】図６は、弾性部材の側面図である。
【図７】図７は、給電部材の接触部材の側面図である。
【図８】図８は、第２実施形態の給電部材の断面図である。
【図９】図９は、第３実施形態の給電部材の断面図である。
【発明を実施するための形態】
【０００７】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００８】
＜第１実施形態＞
図１は、第１実施形態にかかるオゾン発生器１０の全体構成を示す断面図である。図２は、第１実施形態の誘電体電極２４の近傍の拡大断面図である。図１に矢印で示すＸ軸、Ｙ軸、Ｚ軸で示されるそれぞれの方向を、Ｘ方向、Ｙ方向、Ｚ方向とする。図１及び図２に示すように、オゾン発生器１０は、装置本体１２と、高圧電源１４と、冷却水供給部１６とを備えている。
【０００９】
装置本体１２は、気密容器２０と、一対の端板２１ａ、２１ｂと、複数の金属電極２２と、複数の誘電体電極２４と、ヒューズ４０と、スペーサ４２とを備える。
【００１０】
気密容器２０は、Ｙ方向に沿った中心軸を有する中空の管状に形成されている。気密容器２０は、一対の端板２１ａ、２１ｂ、複数の金属電極２２、複数の誘電体電極２４、ヒューズ４０、及び、スペーサ４２を収容して保持する。気密容器２０の外周部には、ガス入口２７、ガス出口２８、冷却水入口３０及び冷却水出口３２が接続されている。ガス入口２７は、外部から供給される酸素を含む原料ガスを気密容器２０内に導入する。ガス出口２８は、未反応の原料ガス及びオゾン（Ｏ３）を外部へ排出する。冷却水入口３０は、気密容器２０の下部に設けられている。冷却水入口３０は、外部から供給された冷却水供給部１６を金属電極２２の外周部へ導入する。冷却水出口３２は、気密容器２０の上部に設けられている。冷却水出口３２は、金属電極２２の外周部を流れた冷却水を外部へ排出する。
【００１１】
一対の端板２１ａ、２１ｂは、ステンレス等の導電性の材料を含む。端板２１ａ、２１ｂは、円板状に形成されている。端板２１ａ、２１ｂの外周部は気密容器２０に固定されている。端板２１ｂは、端板２１ａと対向して、かつ、端板２１ａとほぼ平行になるように配置されている。端板２１ａ、２１ｂは、気密容器２０を介して、接地電位と接続されている。端板２１ａ、２１ｂには、複数の円形状の穴２６ａ、２６ｂが形成されている。穴２６ａ、２６ｂは、金属電極２２の端部とほぼ同じ形状である。複数の穴２６ａ、２６ｂは、ほぼ等間隔で配置されている。
【００１２】
金属電極２２は、端板２１ａ、２１ｂと同じ材料であって、ステンレス等の導電性の材料を含み、導電性を有する。複数の金属電極２２は、気密容器２０の内部に設けられている。複数の金属電極２２は、それぞれの長手方向（即ち、中心軸方向）がＹ方向に沿った平行な状態で、かつ、Ｘ方向及びＺ方向にほぼ均等な間隔で配列されている。金属電極２２は、気密容器２０の中心軸と平行なＹ方向に沿った中心軸を有する管状に形成されている。金属電極２２の一端は、一方の端板２１ａの円形状の穴２６ａと連結されている。金属電極２２の他端は、他方の端板２１ｂの円形状の穴２６ｂと連結されている。金属電極２２の端部は、例えば、端板２１ａ、２１ｂと溶接によって連結されている。これにより、金属電極２２の両端部は、塞がれることなく一対の端板２１ａ、２１ｂに保持され、端板２１ａ、２１ｂと電気的に接続される。金属電極２２は、端板２１ａ、２１ｂを介して、接地電位と接続されている。複数の金属電極２２のうち、最も外周に設けられた金属電極２２は、気密容器２０の内周面との間に冷却水の水路４６を形成する。水路４６は、気密容器２０の冷却水入口３０及び冷却水出口３２と繋がっている。水路４６は、最も外周に設けられた金属電極２２以外の中央部の金属電極２２の外周部にも形成されている。
【００１３】
各誘電体電極２４は、気密容器２０内であって、いずれかの金属電極２２の内部に金属電極２２と同軸になるように配置されている。誘電体電極２４は、誘電体部３４と、導電膜３６と、給電部材３８とを有する。
【００１４】
誘電体部３４は、石英ガラス、ホウケイ酸ガラス、高ケイ酸ガラス、アルミノケイ酸ガラス、セラミックス等の誘電体材料を含み、電気的に絶縁性である。誘電体部３４は、管状に形成されている。誘電体部３４の端板２１ａ側の端部は、開口している。誘電体部３４の端板２１ｂ側の端部は、閉口している。誘電体部３４は、いずれかの金属電極２２の内部に設けられている。誘電体部３４は、金属電極２２との間に原料ガスが供給される放電ギャップ４４を空けて配置されている。誘電体部３４の中心軸が気密容器２０及び金属電極２２の中心軸とほぼ平行になるように、かつ、誘電体部３４の外周面が金属電極２２の内周面と対向するように設けられている。誘電体部３４の開口側の端部は、端板２１ａよりも外側に突出している。
【００１５】
導電膜３６は、ステンレス、ニッケル、カーボンあるいはアルミニウム等の導電性の材料を含み、導電性を有する。導電膜３６は、導電性の材料をスパッタリング、溶射、蒸着、無電解メッキ、電解メッキ、塗料塗布等により誘電体部３４の内面に設けられている。従って、導電膜３６は、誘電体部３４の内面とほぼ同形の管状に形成される。
【００１６】
給電部材３８は、ステンレス等の導電性の材料を含み、導電性及び耐オゾン性を有する。給電部材３８は、誘電体部３４の開口部の近傍の内側に設けられている。給電部材３８は、導電膜３６及びヒューズ４０と電気的に接続されている。これにより、給電部材３８は、ヒューズ４０を介して印加される高圧電源１４の交流電圧を導電膜３６に印加する。
【００１７】
ヒューズ４０は、中心軸が誘電体部３４の中心軸とほぼ一致するように配置されている。ヒューズ４０の一端は、高圧碍子１４ａ及びリード線１４ｂを介して、高圧電源１４と電気的に接続されている。ヒューズ４０の他端は、給電部材３８と電気的に接続されている。ヒューズ４０は、誘電体部３４が絶縁破壊によって破損した場合に、導電膜３６に対して流れる過電流を遮断し、破損した誘電体電極２４を他の誘電体電極２４から切り離すことによって、オゾン発生器１０の運転を継続する。
【００１８】
スペーサ４２は、金属電極２２と誘電体電極２４との間に配置されている。スペーサ４２は、金属電極２２と導電膜３６との間の放電ギャップ４４を所定間隔に維持する。尚、スペーサ４２は、金属電極２２と一体化された突起であってもよい。
【００１９】
高圧電源１４は、リード線１４ｂ及びヒューズ４０を介して、給電部材３８に接続されている。高圧電源１４は、ヒューズ４０及び給電部材３８を介して、高周波かつ高電圧の交流電圧を導電膜３６に印加する。
【００２０】
冷却水供給部１６は、例えば、チラー、ポンプである。冷却水供給部１６は、気密容器２０の冷却水入口３０と接続され、冷却水入口３０から気密容器２０の内部の水路４６へ冷却水を供給する。
【００２１】
次に、給電部材３８について説明する。図３は、第１実施形態の給電部材３８の側面図である。図４は、ＩＶ−ＩＶ線に沿った給電部材３８の断面図である。図５は、給電部材３８の弾性部材５０の全体斜視図である。図６は、弾性部材５０の側面図である。図７は、給電部材３８の接触部材５２の側面図である。図３では、接触部材５２の一部を省略している。図７の接触部材５２の外側の円内は、接触部材５２の内側の円内の拡大図である。
【００２２】
図３及び図４に示すように、給電部材３８は、弾性部材５０と、接触部材５２とを有する。
【００２３】
図３から図６に示すように、弾性部材５０は、管状に形成されている。弾性部材５０は、誘電体部３４と同軸になるように、誘電体部３４の内側に配置されている。弾性部材５０は、ステンレス等の導電性の材料を含み、導電性及び耐オゾン性を有する。弾性部材５０の一端は、ヒューズ４０に接続される。弾性部材５０の中央部には、弾性変形可能な弾性部５４が形成されている。弾性部５４は、中央部が両端部に比べて大径の管状に形成されている。弾性部５４は、誘電体部３４の径方向に弾性変形可能に構成されている。弾性部５４には、弾性部材５０の中心軸方向に長い複数の開口部５４ａが形成されている。これにより、弾性部５４は、より容易に弾性変形して、外周部に設けられた接触部材５２を導電膜３６へと押圧する。
【００２４】
図３、図４及び図７に示すように、接触部材５２は、長手方向の両端が開口した管状に形成されている。接触部材５２は、弾性部材５０の外周面に設けられ、弾性部材５０の外周面のほぼ全面を覆う。接触部材５２は、ステンレス等の導電性の材料を含み、導電性及び耐オゾン性を有する。接触部材５２は、複数の金属線材５６を有する。複数の金属線材５６は、ほぼ等間隔で配置された複数の経糸と複数の緯糸とを含み、メリヤス編み等によって編み込まれている。これにより、接触部材５２は、弾性部材５０の周方向及び長手方向に複数の金属線材５６がほぼ均等に配置され、複数の開口がほぼ等間隔で二方向に配列された網目状となる。各金属線材５６は、複数（例えば、２本）の金属細線５８を有する。複数の金属細線５８は、撚られている。金属細線５８の線径は、８０μｍ以上である。接触部材５２は、弾性部材５０の弾性力によって径方向の外側に押圧されることによって、導電膜３６と接触して電気的に接続される。これにより、接触部材５２は、導電膜３６と弾性部材５０とを電気的に接続する。
【００２５】
続いて、オゾン発生器１０の動作について説明する。オゾン発生器１０では、冷却水入口３０から供給された冷却水が金属電極２２の外側の水路４６を流れつつ、金属電極２２を冷却している状態で、ガス入口２７から原料ガスが供給される。この状態で、高圧電源１４が、ヒューズ４０、給電部材３８の弾性部材５０及び接触部材５２を介して、導電膜３６と金属電極２２との間に交流電圧を供給する。これにより、導電膜３６と金属電極２２との間の放電ギャップ４４に高電圧が印加され、放電ギャップ４４に生じた無声放電によって原料ガス中の酸素からオゾンが生成される。生成されたオゾンは、ガス出口２８から排出される。
【００２６】
上述したように、第１実施形態のオゾン発生器１０は、複数の金属線材５６が編み込まれた網目状に構成された接触部材５２を有する給電部材３８を備えている。これにより、オゾン発生器１０は、接触部材をブラシまたはステンレスウール及びメタルウール等によって構成した場合に比べて、給電部材３８の機械的強度を向上させて耐久性を高めることができる。従って、オゾン発生器１０は、高電圧が印加される給電部材３８の接触部材５２の破損を低減できる。
【００２７】
オゾン発生器１０は、金属線材５６が周方向及び長手方向にほぼ均等に配置された網状に構成された接触部材５２を備える。これにより、オゾン発生器１０は、接触部材５２の機械的な強度及び接触部材５２と導電膜３６との電気的な接触抵抗を、周方向及び長手方向において均等にすることができる。この結果、オゾン発生器１０は、接触部材５２に機械的または電気的な負荷が局所的に作用することを低減して、接触部材５２の破損をより低減できる。
【００２８】
オゾン発生器１０は、８０μｍ以上の金属細線５８が撚られた金属線材５６を有する接触部材５２を備える。ここで、本願の発明者は、５０μｍ以下の金属細線による接触部材と、８０μｍ以上の金属細線５８の接触部材５２とに同じ高電圧を印加した場合の破損状況を実験して調べた。実験の結果、８０μｍ以上の金属細線５８による接触部材５２はほとんど破損しなかったが、５０μｍ以下の金属細線による接触部材の多くは熱等によって破損することがわかった。これは金属細線５８の直径が大きくなると単位表面積が増加し、金属細線の熱による酸化が抑制されたためである。これにより、実施形態の接触部材５２は、高電圧が印加された場合の熱等による破損をより抑制できることがわかる。
【００２９】
オゾン発生器１０は、複数の金属細線５８が撚られた金属線材５６によって構成された接触部材５２を有する。これにより、オゾン発生器１０は、金属線材５６の強度をより向上させて、接触部材５２の破損を抑制できる。
【００３０】
オゾン発生器１０は、径方向に弾性変形する弾性部材５０を有する。これにより、オゾン発生器１０は、弾性部材５０の周囲に設けられた接触部材５２を導電膜３６へ弾性力によって押圧することができる。この結果、オゾン発生器１０は、接触部材５２と導電膜３６との接触面積を増加させて、電気的な接触抵抗を低減することができる。
【００３１】
＜第２実施形態＞
図８は、第２実施形態の給電部材３８Ａの断面図である。図８に示すように、給電部材３８Ａは、弾性部材５０と、接触部材５２Ａとを有する。接触部材５２Ａは、一方（例えば、ヒューズ４０側）が開口し、他方が閉口した管状に構成されている。接触部材５２Ａは、接触部６０と、閉口部６２とを有する。
【００３２】
接触部６０は、第１実施形態の接触部材５２とほぼ同様の構成を有する。従って、接触部６０は、両端が開口した管状に形成されている。接触部６０は、弾性部材５０の外周部に設けられる。接触部６０は、弾性部材５０に押圧されて導電膜３６と電気的に接続される。
【００３３】
閉口部６２は、管状の接触部材５２の他方（即ち、誘電体部３４の閉口端側）の開口に連結されている。閉口部６２は、接触部材５２の他方の開口を覆って閉じる。閉口部６２は、接触部材５２及び接触部６０と同様に、複数の金属細線５８が撚られた金属線材５６が編み込まれた網目状に構成されている。
【００３４】
上述したように、第２実施形態の接触部材５２Ａは、接触部６０の他方の開口を閉じる閉口部６２を有する。これにより、接触部６０を弾性部材５０の外周部に装着する際に、組立員または組立機械は、接触部６０を容易に位置決めすることができる。
【００３５】
＜第３実施形態＞
図９は、第３実施形態の給電部材３８Ｂの断面図である。図９に示すように、第３実施形態の給電部材３８Ｂは、弾性部材５０と、複数の接触部材５２Ｂとを備える。
【００３６】
接触部材５２Ｂは、第１実施形態の接触部材５２と同様の構成を有する。複数の接触部材５２Ｂは、弾性部材５０の外周部に積層されている。
【００３７】
上述したように、第３実施形態の給電部材３８Ｂは、積層された複数の接触部材５２Ｂを有する。これにより、給電部材３８Ｂは、接触部材５２Ｂの機械的強度をより向上させることができる。また、給電部材３８Ｂは、複数の接触部材５２Ｂのいずれかの一部が破損しても、残りの接触部材５２Ｂによって弾性部材５０と導電膜３６との電気的接続が切断されることを抑制できる。
【００３８】
上述の実施形態の構成の形状、個数、配置、及び、数値等は適宜変更してよい。各実施形態は、適宜組み合わされてもよい。
【００３９】
例えば、上述の実施形態では、２本の金属細線５８を有する金属線材５６を例に挙げたが、金属細線５８の本数は適宜変更してよい。例えば、金属線材５６は、１本または３本以上の金属細線５８を有してもよい。
【００４０】
上述の実施形態では、金属細線５８の線径を８０μｍ以上としたが、線径は８０μｍ以上に限定されない。例えば、金属細線５８は、７０μｍ以上であってもよく、１２０μｍ以下であってもよい。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１０：オゾン発生器、２２：金属電極、２４：誘電体電極、３４：誘電体部、３６：導電膜、３８：給電部材、３８Ａ：給電部材、３８Ｂ：給電部材、４４：放電ギャップ、５０：弾性部材、５２：接触部材、５２Ａ：接触部材、５２Ｂ：接触部材、５４：弾性部、５４ａ：開口部、５６：金属線材、５８：金属細線、６０：接触部、６２：閉口部。
【図１】
2019131425.tif 000003
【図２】
2019131425.tif 000004
【図３】
2019131425.tif 000005
【図４】
2019131425.tif 000006
【図５】
2019131425.tif 000007
【図６】
2019131425.tif 000008
【図７】
2019131425.tif 000009
【図８】
2019131425.tif 000010
【図９】
2019131425.tif 000011